(57)【要約】【課題】従来の表示装置における周囲照度の変化に対応する画面輝度レベルの調節制御は、単に周囲照度の変化を検知しそれをバックライト輝度に反映させているだけなので、一時的な照度変化に応答して誤動作してしまう問題がある。【解決手段】予め周囲照度に対応する最適バックライト輝度設定値を記憶手段に記憶し、周囲照度を検知し、前記検知した周囲照度に対応する前記最適バックライト輝度設定値を前記記憶手段から求め、求められた前記最適バックライト輝度設定値と現在出力中のバックライト輝度設定値に差があり、その大小関係が継続して同じ状態にあるとき、更新毎の輝度抑制値変化量が前記最適バックライト輝度設定値に向かって次第に大きくなるようにバックライト輝度設定値を更新して出力し、出力された前記バックライト輝度設定値に基づきバックライトの輝度レベルを制御する。【選択図】図４
2007133159.tif 000002
【特許請求の範囲】
【請求項１】
映像信号を入力して映像表示すると共に、周囲照度に応じて画面の明るさを調節することができる映像表示装置において、
周囲照度をサンプリング期間毎に取得する周囲照度取得手段と、
前記周囲照度取得手段により取得された周囲照度に基づきバックライト輝度設定値を演算する演算手段と、
前記演算手段で演算された前記バックライト輝度設定値に基づきバックライトの輝度を制御するバックライト輝度制御手段を備え、
前記演算手段は、
前記取得された周囲照度に対応する最適バックライト輝度設定値と現在の前記演算されたバックライト輝度設定値の大小関係が継続して同じ状態にあるとき、サンプリング期間毎に前記バックライト輝度設定値を前記最適バックライト輝度設定値に向かってその変化が次第に大きくなるように更新することを特徴とする表示装置。
【請求項２】
前記演算手段は、
前記最適バックライト輝度設定値に対応する最適輝度抑制値を記憶する記憶手段と、
前記周囲照度取得手段により取得された周囲照度に基づき輝度抑制値を演算する輝度抑制値演算手段と、
前記輝度抑制値に基づいて前記バックライト輝度設定値を演算するバックライト輝度設定値演算手段を備え、
前記記憶手段に記憶された前記最適輝度抑制値と演算された輝度抑制値の大小関係が継続して同じ状態にあるとき、サンプリング期間毎に前記輝度抑制値の変化を前記最適輝度抑制値に向かって次第に大きくなるように更新することを特徴とする請求項１に記載の表示装置。
【請求項３】
前記最適バックライト輝度設定値は、画面明るさ補正係数で補正された前記最適輝度抑制値に対応する値であり、
前記バックライト輝度設定値は、画面明るさ補正係数で補正された前記輝度抑制値に対応する値であることを特徴とする請求項２に記載の表示装置。
【請求項４】
前記サンプリング期間毎に前記輝度抑制値の変化量を明るい方向に所定量増加することにより前記輝度抑制値の変化量を次第に大きくすることを特徴とする請求項１乃至請求項３のいずれか一項に記載の表示装置。
【請求項５】
前記サンプリング期間毎に前記輝度抑制値の変化量を暗い方向に所定量増加することにより前記輝度抑制値の変化量を次第に大きくすることを特徴とする請求項１乃至請求項３のいずれか一項に記載の表示装置。
【請求項６】
前記最適バックライト輝度設定値が現在出力中の前記バックライト輝度設定値に対して継続して大きい場合には、前記輝度抑制値の変化量が次第に大きくなるようにして前記バックライト輝度設定値を増加させることを特徴とする請求項１乃至請求項３のいずれか一項に記載の表示装置。
【請求項７】
前記最適バックライト輝度設定値が現在出力中の前記バックライト輝度設定値に対して継続して小さい場合には、前記輝度抑制値の変化量が次第に大きくなるようにして前記バックライト輝度設定値を減少させることを特徴とする請求項１乃至請求項３のいずれか一項に記載の表示装置。
【請求項８】
前記バックライト輝度設定値が前記最適バックライト輝度設定値に達したときには前記輝度抑制値の変化量を初期化することを特徴とする請求項１乃至請求項７のいずれか一項に記載の表示装置。
【請求項９】
前記バックライト輝度設定値が限界値に達したときには前記バックライト輝度設定値を前記限界値に設定すると共に前記輝度抑制値の変化量を初期化することを特徴とする請求項１乃至請求項７のいずれか一項に記載の表示装置。
【請求項１０】
映像信号を入力して映像表示すると共に、周囲照度に応じて画面の明るさを調節することができる映像表示装置において、
周囲照度をサンプリング期間毎に取得する周囲照度取得手段と、
前記周囲照度取得手段により取得された周囲照度に基づき映像輝度信号補正値を演算する演算手段と、
前記演算手段で演算された前記映像輝度信号補正値に基づき映像輝度信号レベルを制御する映像輝度信号レベル制御手段を備え、
前記演算手段は、
前記取得された周囲照度に対応する最適映像輝度信号レベルと現在の演算された映像輝度信号レベルの大小関係が継続して同じ状態にあるとき、サンプリング期間毎に前記映像輝度信号レベルが前記最適映像輝度信号レベルに向かってその変化が次第に大きくなるよう更新することを特徴とする表示装置。
【請求項１１】
映像信号を入力して映像表示すると共に、周囲照度に応じて画面の明るさを調節することができる映像表示装置の輝度調節方法において、
周囲照度をサンプリング期間毎に取得し、
前記取得された周囲照度に基づきバックライト輝度設定値を演算し、
前記演算された前記バックライト輝度設定値に基づきバックライトの輝度を制御し、
前記取得された周囲照度に対応する最適バックライト輝度設定値と現在の前記演算されたバックライト輝度設定値の大小関係が継続して同じ状態にあるときは、サンプリング期間毎に前記バックライト輝度設定値が前記最適バックライト輝度設定値に向かってその変化が次第に大きくなるよう更新することを特徴とする輝度調節方法。
【請求項１２】
前記最適バックライト輝度設定値に対応する最適輝度抑制値を記憶し、
前記取得された周囲照度に基づき輝度抑制値を演算し、
前記輝度抑制値に基づいて前記バックライト輝度設定値を演算し、
前記最適輝度抑制値と演算された輝度抑制値の大小関係が継続して同じ状態にあるときは、サンプリング期間毎に前記輝度抑制値の変化を前記最適輝度抑制値に向かって次第に大きくなるように更新することを特徴とする請求項１１に記載の輝度調節方法。
【請求項１３】
前記最適バックライト輝度設定値は、画面明るさ補正係数で補正された前記最適輝度抑制値に対応する値であり、
前記バックライト輝度設定値は、画面明るさ補正係数で補正された前記輝度抑制値に対応する値であることを特徴とする請求項１２に記載の輝度調節方法。
【請求項１４】
前記サンプリング期間毎に前記輝度抑制値の変化量を明るい方向に所定量増加することにより前記輝度抑制値の変化量を次第に大きくすることを特徴とする請求項１１乃至請求項１３のいずれか一項に記載の輝度調節方法。
【請求項１５】
前記サンプリング期間毎に前記輝度抑制値の変化量を暗い方向に所定量増加することにより前記輝度抑制値の変化量を次第に大きくすることを特徴とする請求項１乃至請求項３のいずれか一項に記載の輝度調節方法。
【請求項１６】
前記最適バックライト輝度設定値が現在出力中の前記バックライト輝度設定値に対して継続して大きい場合には、前記輝度抑制値の変化量が次第に大きくなるようにして前記バックライト輝度設定値を増加させることを特徴とする請求項１１乃至請求項１３のいずれか一項に記載の輝度調節方法。
【請求項１７】
前記最適バックライト輝度設定値が現在出力中の前記バックライト輝度設定値に対して継続して小さい場合には、前記輝度抑制値の変化量が次第に大きくなるようにして前記バックライト輝度設定値を減少させることを特徴とする請求項１１乃至請求項１３のいずれか一項に記載の輝度調節方法。
【請求項１８】
前記バックライト輝度設定値が前記最適バックライト輝度設定値に達したときには前記輝度抑制値の変化量を初期化することを特徴とする請求項１乃至請求項７のいずれか一項に記載の輝度調節方法。
【請求項１９】
前記バックライト輝度設定値が限界値に達したときには前記バックライト輝度設定値を前記限界値に設定すると共に前記輝度抑制値の変化量を初期化することを特徴とする請求項１１乃至請求項１７のいずれか一項に記載の輝度調節方法。
【請求項２０】
映像信号を入力して映像表示すると共に、周囲照度に応じて画面の明るさを調節することができる映像表示装置の輝度調節方法において、
周囲照度をサンプリング期間毎に取得し、
前記取得された周囲照度に基づき映像輝度信号補正値を演算し、
前記演算された前記映像輝度信号補正値に基づき映像輝度信号レベルを制御し、
前記取得された周囲照度に対応する最適映像輝度信号レベルと現在の前記演算された映像輝度信号レベルの大小関係が継続して同じ状態にあるときは、サンプリング期間毎に前記映像輝度信号レベルが前記最適映像輝度信号レベルに向かってその変化が次第に大きくなるよう更新することを特徴とする輝度調節方法。
【発明の詳細な説明】
【技術分野】
【０００１】
本発明は、表示装置、及びその輝度調節方法に係り、特に周囲照度の一時的な変化による誤動作を防止して、最適な状態で映像を鑑賞することができる表示装置、及びその輝度調節方法に関する。
【背景技術】
【０００２】
テレビ画面などの表示器で映像を鑑賞する際の画面の明るさは、周囲の明るさによって見やすい最適値が変化する。例えば周囲が暗いときには、画面を暗くしたほうが見やすい。また、明るい部屋で見るときは、画面を明るくしないと見にくい。
【０００３】
このような状況に対応するため、従来、周囲の明るさに応じて画面の明るさを自動調節することが行われている。特許文献１に開示された従来技術はその一例である。特許文献１によれば、周囲照度に対して図８に示したような特性、即ち、周囲照度が高い（明るい）ときには画面を明るくし、周囲照度が低い（暗い）ときには画面を暗くすると見やすいことが記載されている。この従来技術は、周囲照度を周囲受光部（周囲照度センサ）で検知し、この検知量と図８の関係を基に画面の明るさを調節するようにしている。
【特許文献１】特開平６−３０８８９１号公報
【発明の開示】
【発明が解決しようとする課題】
【０００４】
しかしながら、上記従来技術は、単に周囲照度の変化を検知しそれをバックライト輝度に反映させているだけなので、例えば暗い部屋で映像を鑑賞しているときに瞬間的に明るくなったり（例えば何らかのライトの光が一時的に周囲受光部に当たったとき）、あるいは明るい部屋で映像を鑑賞しているときに部屋の電灯がちらついて一時的に暗くなったりしたときに、その照度変化に応答して画面の明るさ調節制御が必要のない動作（誤動作）を起こしてしまう。また、周囲環境光としては自己の画面からの光の回り込みもある。例えば爆発、炎上などの数秒間というような時間、画面が全体的に白っぽくなるような映像が流れた際に、その間、画面の明るさのレベルが高くなり、その結果周囲照度センサでこれが検知されると、これに反応してバックライト輝度が一時的に瞬くように高くなる。特に周囲環境光の照度レベルが低いときに、画面の明るさの影響が大きくなり、画面の明るさ調節制御に誤動作が起こりやすくなる。
【０００５】
図９はこの誤動作の様子を示したものである。図９において、点線ａ−ｂ−ｃ−ｂは周囲照度の変化を示す。また、実線ｄ−ｅ−ｆ−ｅは画面の明るさの変化を示す。ここで、符号ａ、ｂ、ｃ、ｄ、ｅ、ｆは、図８に示したものと同じものを示す。点線ｃの部分は周囲照度が暗い状態から一時的に明るくなった状態を示している。この周囲照度の変化に反応して画面がｅの暗い状態からｆの明るい状態になって、またｅの暗い状態に戻っている。周囲照度ｃは一時的なものであるからこの変化に画面の明るさがｆのように反応すると瞬間的に画面が見づらくなる。このような周囲照度の一時的な変化に画面の明るさは反応すべきではない。
【０００６】
本発明の目的は、上記問題点に鑑み、周囲照度の一時的な変化による画面の明るさ調節制御の誤動作を防止して、最適な状態で映像を鑑賞することができる表示装置、及びその輝度調節方法を提供することにある。
【課題を解決するための手段】
【０００７】
本発明の請求項１に係る発明の要旨は、映像信号を入力して映像表示すると共に、周囲照度に応じて画面の明るさを調節することができる映像表示装置において、周囲照度をサンプリング期間毎に取得する周囲照度取得手段と、前記周囲照度取得手段により取得された周囲照度に基づきバックライト輝度設定値を演算する演算手段と、前記演算手段で演算された前記バックライト輝度設定値に基づきバックライトの輝度を制御するバックライト輝度制御手段を備え、前記演算手段は、前記取得された周囲照度に対応する最適バックライト輝度設定値と現在の前記演算されたバックライト輝度設定値の大小関係が継続して同じ状態にあるとき、サンプリング期間毎に前記バックライト輝度設定値を前記最適バックライト輝度設定値に向かってその変化が次第に大きくなるように更新することを特徴とする表示装置に存する。
また、本発明の請求項２に係る発明の要旨は、前記演算手段は、前記最適バックライト輝度設定値に対応する最適輝度抑制値を記憶する記憶手段と、前記周囲照度取得手段により取得された周囲照度に基づき輝度抑制値を演算する輝度抑制値演算手段と、前記輝度抑制値に基づいて前記バックライト輝度設定値を演算するバックライト輝度設定値演算手段を備え、前記記憶手段に記憶された前記最適輝度抑制値と演算された輝度抑制値の大小関係が継続して同じ状態にあるとき、サンプリング期間毎に前記輝度抑制値の変化を前記最適輝度抑制値に向かって次第に大きくなるように更新することを特徴とする請求項１に記載の表示装置に存する。
また、本発明の請求項３に係る発明の要旨は、前記最適バックライト輝度設定値は、画面明るさ補正係数で補正された前記最適輝度抑制値に対応する値であり、前記バックライト輝度設定値は、画面明るさ補正係数で補正された前記輝度抑制値に対応する値であることを特徴とする請求項２に記載の表示装置に存する。
また、本発明の請求項４に係る発明の要旨は、前記サンプリング期間毎に前記輝度抑制値の変化量を明るい方向に所定量増加することにより前記輝度抑制値の変化量を次第に大きくすることを特徴とする請求項１乃至請求項３のいずれか一項に記載の表示装置に存する。
また、本発明の請求項５に係る発明の要旨は、前記サンプリング期間毎に前記輝度抑制値の変化量を暗い方向に所定量増加することにより前記輝度抑制値の変化量を次第に大きくすることを特徴とする請求項１乃至請求項３のいずれか一項に記載の表示装置に存する。
また、本発明の請求項６に係る発明の要旨は、前記最適バックライト輝度設定値が現在出力中の前記バックライト輝度設定値に対して継続して大きい場合には、前記輝度抑制値の変化量が次第に大きくなるようにして前記バックライト輝度設定値を増加させることを特徴とする請求項１乃至請求項３のいずれか一項に記載の表示装置に存する。
また、本発明の請求項７に係る発明の要旨は、前記最適バックライト輝度設定値が現在出力中の前記バックライト輝度設定値に対して継続して小さい場合には、前記輝度抑制値の変化量が次第に大きくなるようにして前記バックライト輝度設定値を減少させることを特徴とする請求項１乃至請求項３のいずれか一項に記載の表示装置に存する。
また、本発明の請求項８に係る発明の要旨は、前記バックライト輝度設定値が前記最適バックライト輝度設定値に達したときには前記輝度抑制値の変化量を初期化することを特徴とする請求項１乃至請求項７のいずれか一項に記載の表示装置に存する。
また、本発明の請求項９に係る発明の要旨は、前記バックライト輝度設定値が限界値に達したときには前記バックライト輝度設定値を前記限界値に設定すると共に前記輝度抑制値の変化量を初期化することを特徴とする請求項１乃至請求項７のいずれか一項に記載の表示装置に存する。
また、本発明の請求項１０に係る発明の要旨は、映像信号を入力して映像表示すると共に、周囲照度に応じて画面の明るさを調節することができる映像表示装置において、周囲照度をサンプリング期間毎に取得する周囲照度取得手段と、前記周囲照度取得手段により取得された周囲照度に基づき映像輝度信号補正値を演算する演算手段と、前記演算手段で演算された前記映像輝度信号補正値に基づき映像輝度信号レベルを制御する映像輝度信号レベル制御手段を備え、前記演算手段は、前記取得された周囲照度に対応する最適映像輝度信号レベルと現在の演算された映像輝度信号レベルの大小関係が継続して同じ状態にあるとき、サンプリング期間毎に前記映像輝度信号レベルが前記最適映像輝度信号レベルに向かってその変化が次第に大きくなるよう更新することを特徴とする表示装置に存する。
また、本発明の請求項１１に係る発明の要旨は、映像信号を入力して映像表示すると共に、周囲照度に応じて画面の明るさを調節することができる映像表示装置の輝度調節方法において、周囲照度をサンプリング期間毎に取得し、前記取得された周囲照度に基づきバックライト輝度設定値を演算し、前記演算された前記バックライト輝度設定値に基づきバックライトの輝度を制御し、前記取得された周囲照度に対応する最適バックライト輝度設定値と現在の前記演算されたバックライト輝度設定値の大小関係が継続して同じ状態にあるときは、サンプリング期間毎に前記バックライト輝度設定値が前記最適バックライト輝度設定値に向かってその変化が次第に大きくなるよう更新することを特徴とする輝度調節方法に存する。
また、本発明の請求項１２に係る発明の要旨は、前記最適バックライト輝度設定値に対応する最適輝度抑制値を記憶し、前記取得された周囲照度に基づき輝度抑制値を演算し、前記輝度抑制値に基づいて前記バックライト輝度設定値を演算し、前記最適輝度抑制値と演算された輝度抑制値の大小関係が継続して同じ状態にあるときは、サンプリング期間毎に前記輝度抑制値の変化を前記最適輝度抑制値に向かって次第に大きくなるように更新することを特徴とする請求項１１に記載の輝度調節方法に存する。
また、本発明の請求項１３に係る発明の要旨は、前記最適バックライト輝度設定値は、画面明るさ補正係数で補正された前記最適輝度抑制値に対応する値であり、前記バックライト輝度設定値は、画面明るさ補正係数で補正された前記輝度抑制値に対応する値であることを特徴とする請求項１２に記載の輝度調節方法に存する。
また、本発明の請求項１４に係る発明の要旨は、前記サンプリング期間毎に前記輝度抑制値の変化量を明るい方向に所定量増加することにより前記輝度抑制値の変化量を次第に大きくすることを特徴とする請求項１１乃至請求項１３のいずれか一項に記載の輝度調節方法に存する。
また、本発明の請求項１５に係る発明の要旨は、前記サンプリング期間毎に前記輝度抑制値の変化量を暗い方向に所定量増加することにより前記輝度抑制値の変化量を次第に大きくすることを特徴とする請求項１乃至請求項３のいずれか一項に記載の輝度調節方法に存する。
また、本発明の請求項１６に係る発明の要旨は、前記最適バックライト輝度設定値が現在出力中の前記バックライト輝度設定値に対して継続して大きい場合には、前記輝度抑制値の変化量が次第に大きくなるようにして前記バックライト輝度設定値を増加させることを特徴とする請求項１１乃至請求項１３のいずれか一項に記載の輝度調節方法に存する。
また、本発明の請求項１７に係る発明の要旨は、前記最適バックライト輝度設定値が現在出力中の前記バックライト輝度設定値に対して継続して小さい場合には、前記輝度抑制値の変化量が次第に大きくなるようにして前記バックライト輝度設定値を減少させることを特徴とする請求項１１乃至請求項１３のいずれか一項に記載の輝度調節方法に存する。
また、本発明の請求項１８に係る発明の要旨は、前記バックライト輝度設定値が前記最適バックライト輝度設定値に達したときには前記輝度抑制値の変化量を初期化することを特徴とする請求項１乃至請求項７のいずれか一項に記載の輝度調節方法に存する。
また、本発明の請求項１０に係る発明の要旨は、前記バックライト輝度設定値が限界値に達したときには前記バックライト輝度設定値を前記限界値に設定すると共に前記輝度抑制値の変化量を初期化することを特徴とする請求項１１乃至請求項１７のいずれか一項に記載の輝度調節方法に存する。
また、本発明の請求項２０に係る発明の要旨は、映像信号を入力して映像表示すると共に、周囲照度に応じて画面の明るさを調節することができる映像表示装置の輝度調節方法において、周囲照度をサンプリング期間毎に取得し、前記取得された周囲照度に基づき映像輝度信号補正値を演算し、前記演算された前記映像輝度信号補正値に基づき映像輝度信号レベルを制御し、前記取得された周囲照度に対応する最適映像輝度信号レベルと現在の前記演算された映像輝度信号レベルの大小関係が継続して同じ状態にあるときは、サンプリング期間毎に前記映像輝度信号レベルが前記最適映像輝度信号レベルに向かってその変化が次第に大きくなるよう更新することを特徴とする輝度調節方法に存する。
【発明の効果】
【０００８】
本発明によれば、表示装置の映像を視聴している状態において、室内照明や外光採光や映像内容等により表示装置の周囲輝度の一時的な変化による画面の明るさ調節制御の不必要な動作を防止して、最適な状態で映像を視聴することができる。
【発明を実施するための最良の形態】
【０００９】
次に、本発明を実施するための最良の形態を、図面を参照して具体的に説明する。
【００１０】
（第１の実施の形態）
図１は本実施の形態における表示装置の制御構成図であり、液晶表示器の例を示している。なお、本実施の形態では液晶表示器の例を示したが、本発明は液晶表示器に限らず、ＣＲＴ表示器、プラズマディスプレイ、その他、輝度を調節できる表示器一般に適用することができる。
【００１１】
図１において、１はマイクロコンピュータ（以下マイコンという）で構成される演算回路であり、中央演算装置ＣＰＵ、記憶手段（ＲＯＭ，ＲＡＭ）などから成る。この記憶手段のＲＯＭには本発明を実施するに必要なプログラムやその他各種プログラムが記憶されており、記憶手段のＲＡＭは演算結果や演算途中の値などが一時記憶される。
【００１２】
２はバックライト制御部であり、演算回路１から入力したバックライト輝度設定値を基にバックライトの輝度を制御する。
【００１３】
３はバックライト駆動部であり、バックライト制御部からの制御信号を受けて、バックライト輝度設定値に対応する電圧が印加される。
【００１４】
４はバックライトであり、冷陰極管やＬＥＤなどの光源が使用される。
【００１５】
５は液晶表示装置を使用した映像表示部であり、バックライトの前面に配置され、映像信号を基に映像を表示する。
【００１６】
８はＯＰＣ（周囲照度センサ）であり、周囲環境光や画面から回り込んだ光による周囲の明るさ、即ち周囲照度を検知する。ＯＰＣ８は周囲環境光や画面から回り込んだ光を受光し、周囲照度に比例した信号を演算回路１に出力する。演算回路１はＯＰＣ８から周囲照度に比例する値を入力しバックライト輝度設定値を演算してバックライト制御部２に出力する。
【００１７】
６は映像信号入力部であり、テレビ受信部で受信して復調された映像信号が入力される。７は映像信号処理部であり、ＩＰ変換／ＲＧＢプロセッサなどから構成され、インターレスとプログレッシブの変換やＲ、Ｇ、Ｂ信号を生成する。
【００１８】
このように映像信号は、映像信号処理部７で映像表示するに適した信号に処理され、映像表示部５で映像が表示される。
【００１９】
９は視聴者による画面明るさ調節手段であり、視聴者の好みにより画面の明るさを任意に設定できるようになっている。この画面明るさ調節手段９から画面明るさ補正係数αが演算回路１に入力され、この画面明るさ補正係数αにより補正されたバックライト輝度設定値が演算回路１より出力される。画面明るさ調節手段９は画面明るさ補正係数αに対応する数値を直接入力できるようになっていてもよいし、画面上の画面の明るさ調節メニューに従って調節するようにして、その結果、画面明るさ補正係数αが演算手段１に出力されるようにしてもよい。あるいは図示していないリモコンのボタンを操作することによって画面明るさ補正係数αが演算手段１に出力されるようにしてもよい。
【００２０】
図２、図３は、本実施の形態の動作の概略を示したものである。図において、Ｌ１，Ｌ２は周囲照度であり、Ｙ１、Ｙ２はそれぞれの照度に対応する最適バックライト輝度設定値を示している。
【００２１】
周囲照度に応じて画面の明るさ調節制御を行う場合、周囲照度の一時的な変化に急峻に反応すべきではない。例えば周囲照度が低いとき何らかの一時的な光や自己の画面からの光に反応してしまったり、逆に周囲照度が高いときに、光センサーの前を人が横切るだけで反応してしまうといったことが生じるためである。
【００２２】
従来技術では、画面の明るさ調節制御（液晶表示装置の場合はバックライト輝度調節制御で行う）は周囲照度に比例してバックライト輝度設定値を線形増加／減少するように行っていたが、本発明による本実施の形態ではバックライト輝度設定値を時間の経過と共に目標とする最適バックライト輝度設定値に向かって加速度的に大きくなるようにしている。このようにバックライト輝度設定値を加速度的に増加／減少させることにより、短時間の周囲照度の変化では、バックライト輝度設定値が殆ど変化せず、確実に変化している場合には比較的早くバックライト輝度設定値を適正な値に変化させることができる。図２は、周囲照度が確実に変化している場合のバックライト輝度設定値の応答を表し、図３は周囲照度の変化が短時間の場合のバックライト輝度設定値の応答を表している。
【００２３】
図２に示したように、周囲照度は時間ｔ１からｔ２の間にＬ１からＬ２に低下し、バックライト輝度設定値はこれに反応して当初の輝度設定値Ｙ１から周囲照度Ｌ２に対応する最適バックライト輝度設定値Ｙ２に低下している。しかしながら、バックライト輝度設定値の変化は線形ではなく、加速度的な変化をしている。つまり周囲照度の低い状態が継続している場合に、バックライト輝度設定値の変化は当初は少なく、時間が経過するにしたがって徐々に大きくなっている。バックライト輝度設定値は時間ｔ３で周囲照度Ｌ２に対応する最適バックライト輝度設定値Ｙ２に達しその値が維持される。
【００２４】
また、周囲照度が時間ｔ４からｔ５の間にＬ２からＬ１に増加し、バックライト輝度設定値はこれに反応して周囲照度Ｌ２に対応する最適バックライト輝度設定値Ｙ２から周囲照度Ｌ１に対応する最適バックライト輝度設定値Ｙ１に増加している。この場合にも、周囲照度の増加した当初のバックライト輝度設定値の変化は少なく、時間が経過するにしたがって徐々に大きくなっている。バックライト輝度設定値は時間ｔ６で最適バックライト輝度設定値Ｙ２に達しその値が維持される。
【００２５】
この図２で示した場合は、周囲照度が確実に変化しているので、バックライト輝度設定値も最適なレベルまで確実に変化している。
【００２６】
一方、図３を見ると、周囲照度は時間ｔ７からｔ８の間にＬ１からＬ２に低下し、バックライト輝度設定値は周囲照度Ｌ１に対応する最適バックライト輝度設定値Ｙ１からＹ３に低下している。しかしながら、時間ｔ７とｔ９の間が短時間であるために、バックライト輝度設定値は殆ど低下していない。
【００２７】
また、周囲照度は時間ｔ９からｔ１０の間にＬ２からＬ１に増加し、バックライト輝度設定値はＹ３から周囲照度Ｌ１に対応する最適バックライト輝度設定値Ｙ１に増加している。
【００２８】
図３の場合のように、バックライト輝度設定値の変化が小さいときに周囲照度が元に戻ってしまうような場合には、バックライト輝度設定値が殆ど変化しない。
【００２９】
図４は、本発明による第１の実施の形態の表示装置の制御動作を概念的に説明する図である。
図４は横軸に時間、縦軸にバックライト輝度設定値（左側）、及び輝度抑制値（右側）を取ってある。時間ｔ１、ｔ２、ｔ３、・・・時点の点線はサンプリング時点（輝度抑制値、あるいはバックライト輝度設定値の更新時点）を示している。
【００３０】
ここで、輝度抑制値とは、バックライトの出し得る最大輝度に対してどの程度輝度が抑制されているかを示す値であり、バックライトの設定可能な輝度として、最も明るい輝度に設定したときを０％（全く輝度が抑制されていないという意味で輝度抑制値＝０％）、バックライト輝度が０（ｃｄ／ｍ２）のときを１００％（輝度が１００％抑制されているという意味で輝度抑制値＝１００％）となる値である。この輝度抑制値は、周囲照度に対応して「明るい」方の限界値（０％）から「暗い」方の限界値（例えば８５％）の間で変わるように演算回路１で演算される。
【００３１】
一方、バックライト輝度設定値は、この輝度抑制値と大きさの関係が逆になっており、輝度抑制値＝０％のとき１００％＊α、輝度抑制値＝１００％のとき０％となっている。ここでαは画面明るさ補正係数であり、例えば視聴者の好みによって画面を明るくしたり暗くしたりするとき画面明るさ調節手段９から入力される画面の明るさを補正する係数値（％）である。即ち、バックライト輝度設定値は、演算された輝度抑制値を基に画面明るさ補正係数αによる補正をして求められる実際のバックライト輝度に対応する値である。
【００３２】
また、サンプリングタイミングｔ１、ｔ２、ｔ３、・・・毎に輝度抑制値が更新されているが、この１サンプリング毎の輝度抑制値の変化量を輝度抑制値変化量ということにする。
【００３３】
図４では、画面明るさ補正係数αを１としたときのバックライト輝度設定値１００％、ｙ１％、ｙ２％、・・・ｙ６％に対し、画面明るさ補正係数αを乗算した値１００％＊α、ｙ１％＊α、ｙ２％＊α、・・・ｙ６％＊αを、画面明るさ調節手段９からの画面明るさ補正係数αにより補正されたバックライト輝度設定値として示してある。そして、バックライト輝度設定値を加速度的に変化させるために、サンプリングタイムごとに変化するバックライト輝度設定値ｙ１％＊α、ｙ２％＊α、ｙ３％＊α、ｙ４％＊α、ｙ５％＊α、ｙ６％＊αを、例えば９８％、９５％、８７％、７５％、４８％、１５％のように変化させる。
【００３４】
また、図４では、輝度抑制値が０％から変化を開始し、「暗い」方の限界値を目標に変化しているが、変化開始時点は必ずしも「明るい」方の限界値を目標に変化するのではなく、また「暗い」方の限界値を目標に変化するのではない。変化先の目標となる輝度抑制値は「明るい」方の限界値から「暗い」方の限界値の間の値でよいことはいうまでもない。この場合、周囲照度に見合った最適輝度抑制値が求められてそれを目標として変化していくことになる。サンプリング毎に周囲照度は変化している可能性があり、従って、最適輝度抑制値もサンプリング毎に変化し、輝度抑制値はそれに向かって追随するように変化することになる。
【００３５】
また、図４では、サンプリング毎の輝度抑制値の変化幅を比較的大きく描いてあるが、実際には輝度抑制値０％から１００％までの変化幅に対し輝度抑制値の最小変化幅は１／１０００程度と小さく、また、サンプリング間隔も輝度抑制値０％から１００％まで変化する時間に対し１／１０００程度の時間と小さい。したがって輝度抑制値の変化は、実質的に滑らかな変化となり、また、サンプリング毎の輝度抑制値の変化を直線補間などで補間すれば更に滑らかに変化させることもできる。
【００３６】
ところで、図３で示した周囲照度が変化する時間ｔ７〜ｔ１０がどの程度の時間であればバックライト輝度設定値が実質反応しないようになるかは、後述の輝度抑制値変化量をどのように決めるかによって決まる。すなわち当初の輝度抑制値変化量が少ない期間を長く取れば反応が鈍くなり、短く取れば敏感に反応するようになる。
【００３７】
バックライト輝度設定値を加速度的に変化させるとき、変化の増加割合を決めるには種々の方法が考えられる。例えば、バックライト輝度設定値の更新タイミング毎に、前の輝度抑制値変化量に所定の値を加算して輝度抑制値変化量を増加していくことが考えられる。あるいは輝度抑制値変化量を所定の関数に従って演算することも考えられる。
【００３８】
なお、図２、図３は周囲照度が高→低→高と変化した場合を示したが、低→高→低と変化した場合も同様で、周囲照度の変化直後の変化が少なく、時間が経つに従ってバックライト輝度設定値の変化が急峻になる。
【００３９】
次に、図５の制御フローチャートを参照して、本実施の形態の表示装置のバックライト輝度調節動作を説明する。本動作処理に入る前に予め周囲照度に対する最適輝度抑制値が決められて演算回路内１の記憶手段（ＲＯＭ）に周囲照度−最適輝度抑制値の対応テーブルＴＢ１として記憶されている。また、この図５の制御フローチャートに示されたプログラム処理は演算回路１を構成するマイコンによって実行される。
【００４０】
本実施の形態では、更新タイミング毎に、前回の輝度抑制値変化量に所定量加算して新たな輝度抑制値変化量とし、この新たな輝度抑制値変化量を前回の輝度抑制値に加算することにより、輝度抑制値が加速度的に大きくなるように制御する。
【００４１】
まず、ステップＳ１において、所定サンプルタイミングでＯＰＣ８から演算回路１に取り込まれた信号により周囲照度が取得される。
【００４２】
次に、ステップＳ２に進む。ステップＳ２において、記憶手段（ＲＯＭ）に記憶されたテーブルＴＢ１を参照して周囲照度に対応する最適輝度抑制値を求め、直前のサンプリング期間に演算回路１で演算された輝度抑制値と比較することにより、現在の輝度抑制値が最適輝度抑制値になっているか否かが判断される。
【００４３】
現在の輝度抑制値が最適輝度抑制値になっている場合にはステップＳ３に進み、「輝度抑制値変化量」を初期化し、０あるいは予め設定した微少な値とする。「輝度抑制値変化量」が初期化されると次にステップＳ１に戻り、処理を継続する。
【００４４】
ステップＳ２で適切な値になっていないと判断された場合（ＮＯの場合）には、ステップＳ４に進み、現在の設定が明るすぎるか、あるいは暗すぎるかが判断される。この判断は、上記ステップＳ２と同様に、記憶手段（ＲＯＭ）に記憶されたテーブルＴＢ１を参照して周囲照度に対応する最適輝度抑制値を求め、直前のサンプリング期間に演算回路１で演算された輝度抑制値と比較することにより行われる。この比較はステップＳ４で改めて実行するのではなくステップＳ２の処理として実行することもできる。
【００４５】
ステップＳ４で明るすぎると判断された場合にはステップＳ５に進む。ステップＳ５では現在の輝度抑制値が暗い方向の限界値ではないかどうかがチェックされる。ステップＳ５において、暗い方向の限界値に達していると判断された場合（ＮＯの場合）には、これ以上暗くしないで（あるいはこれ以上暗くできないので）、ステップＳ１に戻り処理を継続する。
【００４６】
ステップＳ５において、暗い方向の限界値に達していないと判断された場合（ＹＥＳの場合）には、ステップＳ６において、前の「輝度抑制値変化量」を暗い方向に所定量増加させる。この増加させる所定量として、ある一定の値としても良く、照度レベルの変化があったときから時間の経過とともに大きな値としても良い。あるいは所定の関数に基づいて演算して求めてもよい。
【００４７】
次に、ステップＳ７に進み、ステップＳ６で求めた新たな「輝度抑制値変化量」を輝度抑制値に加算して新たな「輝度抑制値」を求める。ステップＳ８において、新たな輝度抑制値が「暗い」方向の限界値でないかチェックされる。「暗い」方向の限界値でないと判断された場合には、ステップＳ１１に進み、新しい輝度抑制値と視聴者によって画面明るさ調節手段から入力された画面明るさ補正係数αに基づいて、バックライト輝度設定値を制御する。このときの新しいバックライト輝度設定値は、新しい輝度抑制値に基づいて求められたバックライト輝度設定値（画面明るさ補正係数α＝１００％）を、画面明るさ補正係数αで補正したものとなる。
【００４８】
ステップＳ１２では新しいバックライト輝度設定値に基づいて動作し、画面輝度レベルが制御される。以後、ステップＳ１に戻り、処理を継続する。
【００４９】
また、ステップＳ８で「暗い」方向の限界値であると判断された場合（ＮＯの場合）には、ステップＳ９で輝度抑制値を暗い方向の限界値に設定する。次に、ステップＳ１０に進み、輝度抑制値変化量を初期化し、０あるいは予め設定した微少な値とする。次に、ステップＳ１１に進み、バックライト輝度設定値を暗い方向の限界値を維持し、新しいバックライト輝度設定値を、暗い方向の限界値と視聴者によって画面明るさ調節手段から入力された画面明るさ補正係数αに基づいたバックライト輝度設定値になるように制御する。次にステップＳ１２で新しいバックライト輝度設定値に基づいたバックライト輝度で動作する。以後、ステップＳ１に戻り、処理を継続する。
【００５０】
ステップＳ４で暗すぎると判断された場合にはステップＳ１３に進む。ステップＳ１３では現在の輝度抑制値が明るい方向の限界値ではないかどうかがチェックされる。ステップＳ１３において、明るい方向の限界値に達していると判断された場合（ＮＯの場合）には、これ以上明るくしないで（あるいはこれ以上明るくできないので）、ステップＳ１に戻り処理を継続する。
【００５１】
ステップＳ１３において、明るい方向の限界値に達していないと判断された場合（ＹＥＳの場合）には、ステップＳ１４において、前の「輝度抑制値変化量」を明るい方向に所定量増加させる。この増加させる所定量として、ある一定の値としても良く、照度レベルの変化があったときから時間の経過とともに大きな値としても良い。あるいは所定の関数に基づいて演算して求めてもよい。
【００５２】
次に、ステップＳ１５に進み、ステップＳ１４で求めた新たな「輝度抑制値変化量」を輝度抑制値に加算して新たな「輝度抑制値」を求める。ステップＳ１６において、新たな輝度抑制値が「明るい」方向の限界値でないかチェックされる。「明るい」方向の限界値でないと判断された場合には、ステップＳ１１に進み、新しい輝度抑制値と視聴者によって画面明るさ調節手段から入力された画面明るさ補正係数αに基づいて、バックライト輝度設定値を制御する。このときの新しいバックライト輝度設定値は、新しい輝度抑制値に基づいて求められたバックライト輝度設定値（画面明るさ補正係数α＝１００％）を、画面明るさ補正係数αで補正したものとなる。
【００５３】
ステップＳ１２では新しいバックライト輝度の設定値に基づいて動作し、画面輝度レベルが制御される。以後、ステップＳ１に戻り、処理を継続する。
【００５４】
また、ステップＳ１６で「明るい」方向の限界値であると判断された場合（ＮＯの場合には、ステップＳ１７で輝度抑制値を明るい方向の限界値に設定する。次に、ステップＳ１８に進み、輝度抑制値変化量を初期化し、０あるいは予め設定した微少な値とする。次に、ステップＳ１１に進み、バックライト輝度設定値を明るい方向の限界値を維持し、新しいバックライト輝度設定値を、暗い方向の限界値と視聴者によって画面明るさ調節手段から入力された画面明るさ補正係数αに基づいたバックライト輝度設定値になるように制御する。次にステップＳ１２で新しいバックライト輝度設定値に基づいたバックライト輝度で動作する。以後、ステップＳ１に戻り、処理を継続する。
【００５５】
以上の説明で明らかなように、本実施の形態によれば、周囲照度が短時間のみ変化したときは、画面の明るさを殆ど変化しないようにでき、一方、周囲照度が確実に変化したときは、画面の明るさを周囲照度に対応する最適な画面の明るさまで変化させることができる。
【００５６】
（第２の実施の形態）
次に、図６に、本発明の表示装置の第２の実施の形態を示す。
上記の第１の実施の形態は、画面の明るさを調節するためにバックライトの輝度を調節する液晶表示装置に適用されるが、図６に示した本実施の形態は、ＣＲＴ表示器、プラズマディスプレイなどのように、映像輝度信号を補正して画面の明るさを調節する表示装置に適用される。
【００５７】
図６において、１１はマイコンで構成される演算回路であり、中央演算装置ＣＰＵ、記憶手段（ＲＯＭ，ＲＡＭ）などから成る。この記憶手段のＲＯＭには本発明を実施するに必要なプログラムやその他各種プログラムが記憶されており、記憶手段のＲＡＭは演算結果や演算途中の値などが一時記憶される。
【００５８】
５はＣＲＴ表示器、プラズマディスプレイなどの映像表示部であり、入力された映像信号を基に映像を表示する。
【００５９】
１８はＯＰＣであり、周囲環境光や画面から回り込んだ光を検知する。そして、ＯＰＣ１８は周囲照度に比例した信号を演算回路１１に出力する。演算回路１１はＯＰＣ１８から周囲照度に比例する値を入力し映像輝度信号補正値を演算して映像信号処理部１７に出力する。
【００６０】
１６は映像信号入力部であり、テレビ受信部で受信して復調された映像信号が入力される。映像信号入力部１６からの出力信号には、映像の明るさを表す映像輝度信号が含まれる。
【００６１】
１７は映像信号処理部であり、ＩＰ変換／ＲＧＢプロセッサなどから構成され、映像信号入力部１６からの信号を入力して、インターレスとプログレッシブの変換やＲ、Ｇ、Ｂ信号を生成する。また、演算回路１１からの映像輝度信号補正値を入力して、映像信号入力部１６からの映像輝度信号を補正する機能を有している。
【００６２】
このように映像信号は、映像信号処理部１７で映像表示するに適した信号に処理され、映像表示部１５で映像が表示される。
【００６３】
１９は視聴者により操作される画面明るさ調節手段であり、第１の実施の形態の画面明るさ調節手段９と同じものである。この画面明るさ調節手段１９から画面明るさ補正係数αが演算回路１１に入力され、この画面明るさ補正係数αにより補正された映像輝度信号補正値が演算回路１１より出力される。
【００６４】
次に、図７の制御フローチャートを参照して、本実施の形態の表示装置の映像輝度信号調節動作を説明する。本動作処理に入る前に予め周囲照度に対する最適輝度抑制値が決められて演算回路内１１の記憶手段（ＲＯＭ）に周囲照度−最適輝度抑制値の対応テーブルＴＢ２として記憶されている。また、この図７の制御フローチャートに示されたプログラム処理は演算回路１１を構成するマイコンによって実行される。
【００６５】
本実施の形態では、第１の実施の形態と同様に、更新タイミング毎に、前回の輝度抑制値変化量に所定量加算して新たな輝度抑制値変化量とし、この新たな輝度抑制値変化量を前回の輝度抑制値に加算することにより、輝度抑制値が加速度的に大きくなるように制御する。
【００６６】
まず、ステップＳ２１において、所定サンプルタイミングでＯＰＣ１８から演算回路１１に取り込まれた信号により周囲照度が取得される。
【００６７】
次に、ステップＳ２２に進む。ステップＳ２２において、記憶手段（ＲＯＭ）に記憶されたテーブルＴＢ２を参照して周囲照度に対応する最適輝度抑制値を求め、直前のサンプリング期間に演算回路１１で演算された輝度抑制値と比較することにより、現在の輝度抑制値が最適輝度抑制値になっているか否かが判断される。
【００６８】
現在の輝度抑制値が最適輝度抑制値になっている場合にはステップＳ２３に進み、「輝度抑制値変化量」を初期化し、０あるいは予め設定した微少な値とする。「輝度抑制値変化量」が初期化されると次にステップＳ２１に戻り、処理を継続する。
【００６９】
ステップＳ２２で適切な値になっていないと判断された場合（ＮＯの場合）には、ステップＳ２４に進み、現在の設定が明るすぎるか、あるいは暗すぎるかが判断される。この判断は、上記ステップＳ２２と同様に、記憶手段（ＲＯＭ）に記憶されたテーブルＴＢ２を参照して周囲照度に対応する最適輝度抑制値を求め、直前のサンプリング期間に演算回路１１で演算された輝度抑制値と比較することにより行われる。この比較はステップＳ２４で改めて実行するのではなくステップＳ２２の処理として実行することもできる。
【００７０】
ステップＳ２４で明るすぎると判断された場合にはステップＳ２５に進む。ステップＳ２５では現在の輝度抑制値が暗い方向の限界値ではないかどうかがチェックされる。ステップＳ２５において、暗い方向の限界値に達していると判断された場合（ＮＯの場合）には、これ以上暗くしないで（あるいはこれ以上暗くできないので）、ステップＳ２１に戻り処理を継続する。
【００７１】
ステップＳ２５において、暗い方向の限界値に達していないと判断された場合（ＹＥＳの場合）には、ステップＳ２６において、前の「輝度抑制値変化量」を暗い方向に所定量増加させる。この増加させる所定量として、ある一定の値としても良く、照度レベルの変化があったときから時間の経過とともに大きな値としても良い。あるいは所定の関数に基づいて演算して求めてもよい。
【００７２】
次に、ステップＳ２７に進み、ステップＳ２６で求めた新たな「輝度抑制値変化量」を輝度抑制値に加算して新たな「輝度抑制値」を求める。ステップＳ２８において、新たな輝度抑制値が「暗い」方向の限界値でないかチェックされる。「暗い」方向の限界値でないと判断された場合には、ステップＳ３１に進み、新しい輝度抑制値と視聴者によって画面明るさ調節手段１９から入力された画面明るさ補正係数αに基づいて、映像輝度信号補正値を制御する。このときの新しい映像輝度信号補正値は、新しい輝度抑制値に基づいて求められた映像輝度信号補正値（画面明るさ補正係数α＝１００％）を、画面明るさ補正係数αで補正したものとなる。
【００７３】
ステップＳ３２では新しい映像輝度信号補正値に基づいて動作し、映像輝度信号が制御される。以後、ステップＳ２１に戻り、処理を継続する。
【００７４】
また、ステップＳ２８で「暗い」方向の限界値であると判断された場合（ＮＯの場合には、ステップＳ２９で輝度抑制値を暗い方向の限界値に設定する。次に、ステップＳ３０に進み、輝度抑制値変化量を初期化し、０あるいは予め設定した微少な値とする。次に、ステップＳ３１に進み、限界値を暗い方向の限界値に維持し、新しい映像輝度信号補正値を、暗い方向の限界値と視聴者によって画面明るさ調節手段１９から入力された画面明るさ補正係数αに基づいた映像輝度信号補正値になるように制御する。次にステップＳ３２で新しい映像輝度信号補正値に基づいた映像輝度信号で動作する。以後、ステップＳ２１に戻り、処理を継続する。
【００７５】
ステップＳ２４で暗すぎると判断された場合にはステップＳ３３に進む。ステップＳ３３では現在の輝度抑制値が明るい方向の限界値ではないかどうかがチェックされる。ステップＳ３３において、明るい方向の限界値に達していると判断された場合（ＮＯの場合）には、これ以上明るくしないで（あるいはこれ以上明るくできないので）、ステップＳ２１に戻り処理を継続する。
【００７６】
ステップＳ３３において、明るい方向の限界値に達していないと判断された場合（ＹＥＳの場合）には、ステップＳ３４において、前の「輝度抑制値変化量」を明るい方向に所定量増加させる。この増加させる所定量として、ある一定の値としても良く、照度レベルの変化があったときから時間の経過とともに大きな値としても良い。あるいは所定の関数に基づいて演算して求めてもよい。
【００７７】
次に、ステップＳ３５に進み、ステップＳ３４で求めた新たな「輝度抑制値変化量」を輝度抑制値に加算して新たな「輝度抑制値」を求める。ステップＳ３６において、新たな輝度抑制値が「明るい」方向の限界値でないかチェックされる。「明るい」方向の限界値でないと判断された場合には、ステップＳ３１に進み、新しい輝度抑制値と視聴者によって画面明るさ調節手段１９から入力された画面明るさ補正係数αに基づいて、映像輝度信号補正値を制御する。このときの新しい映像輝度信号補正値は、新しい輝度抑制値に基づいて求められた映像輝度信号補正値（画面明るさ補正係数α＝１００％）を、画面明るさ補正係数αで補正したものとなる。
【００７８】
ステップＳ３２では新しい映像輝度信号に基づいて動作し、画面の明るさが制御される。以後、ステップＳ２１に戻り、処理を継続する。
【００７９】
また、ステップＳ３６で「明るい」方向の限界値であると判断された場合（ＮＯの場合には、ステップＳ３７で輝度抑制値を明るい方向の限界値に設定する。次に、ステップＳ３８に進み、輝度抑制値変化量を初期化し、０あるいは予め設定した微少な値とする。次に、ステップＳ３１に進み、限界値を明るい方向の限界値に維持し、新しい映像輝度信号補正値を、暗い方向の限界値と視聴者によって画面明るさ調節手段から入力された画面明るさ補正係数αに基づいた映像輝度信号補正値になるように制御する。次にステップＳ３２で新しい映像輝度信号補正値に基づいた映像輝度信号で動作する。以後、ステップＳ２１に戻り、処理を継続する。
【００８０】
以上の説明で明らかなように、本実施の形態によれば、周囲照度が短時間のみ変化したときは、画面の明るさを殆ど変化しないようにでき、一方、周囲照度が確実に変化したときは、画面明るさを周囲照度に対応する最適な画面明るさまで変化させることができる。
【００８１】
以上、具体的な実施の形態により説明したが、本発明は上記実施の形態には限定されない。
例えば、上記実施の形態では、周囲照度に対応する最適輝度レベル値として周囲照度−最適輝度抑制値の対応テーブルＴＢ１、あるいはＴＢ２を記憶手段に予め記憶させておき、輝度抑制値を使ってバックライト輝度設定値や映像輝度信号補正値を演算したが、
周囲照度に対応する最適輝度レベル値として周囲照度−最適輝度値の対応テーブルを記憶手段に予め記憶させておき、輝度値を使ってバックライト輝度設定値や映像輝度信号補正値を演算してもよい。しかしながら、周囲照度に対応する最適な画面明るさになるための値として記憶手段に記憶させる最適輝度レベル値は、最適輝度抑制値や最適輝度値に限定されない。ようするに、記憶手段に記憶された値から周囲照度に対応する最適な画面明るさが求められる最適輝度レベル値が記憶されるようになっていればよい。
また、上記実施の形態では画面明るさ調節手段９、１９からの画面明るさ補正係数αを演算回路１、１１に入力して補正するようにしているが、バックライト制御部２、映像信号処理部７、１７などに入力して補正するようにしてもよい。
【００８２】
また、本発明は、発明の要旨を変更しない範囲で実施の形態を変更して実施できることは言うまでも無い。
【産業上の利用可能性】
【００８３】
本発明は液晶表示器に限らず、ＣＲＴ表示器、プラズマディスプレイ、その他、輝度を調節できる表示器一般に適用することができる。
【図面の簡単な説明】
【００８４】
【図１】本発明による第１の実施の形態の表示装置の、具体的な制御構成の一実施の形態を示す図である。
【図２】本発明による第１の実施の形態の表示装置の、周囲照度が確実に変化したときの画面輝度レベルの制御動作を説明する図である。
【図３】本発明による第１の実施の形態の表示装置の、周囲照度が短時間のみ変化したときの画面輝度レベルの制御動作を説明する図である。
【図４】本発明による第１の実施の形態の表示装置の制御動作を説明する図である。
【図５】本発明による第１の実施の形態の表示器の、画面輝度調節の制御動作フローチャートである。
【図６】本発明による第２の実施の形態の表示装置の、具体的な制御構成の一実施の形態を示す図である。
【図７】本発明による第２の実施の形態の表示器の、画面輝度調節の制御動作フローチャートである。
【図８】従来技術による画面輝度調節制御の、周囲照度と画面輝度の特性の一例を示す図である。
【図９】従来技術による画面輝度調節制御の、動作の一例を示す図である。
【符号の説明】
【００８５】
１、１１・・・演算回路
２・・・バックライト制御部
３・・・バックライト駆動部
４・・・バックライト
５、１５・・・映像表示部
６、１６・・・映像信号入力部
７、１７・・・映像信号処理部
８、１８・・・ＯＰＣ（周囲照度センサ）
９、１９・・・画面明るさ調節手段
【図１】
2007133159.tif 000003
【図２】
2007133159.tif 000004
【図３】
2007133159.tif 000005
【図４】
2007133159.tif 000006
【図５】
2007133159.tif 000007
【図６】
2007133159.tif 000008
【図７】
2007133159.tif 000009
【図８】
2007133159.tif 000010
【図９】
2007133159.tif 000011